(57)【要約】【課題】映像コンテンツ再生に関する消費電力を抑制する。【解決手段】ステップＳ１において処理を開始し（ｓｔａｒｔ）、ステップＳ２において、センサにより検知した変位又は速度又は加速度が、あるしきい値よりも大きいかどうかを判定する。大きいと判定された場合には（Ｙ）、ステップＳ３に進み、測定値に応じて、ＣＰＵのクロック値、コンテンツのビットレートを決定する。この際、図３、図４に示すようなテーブルを参照する。次いで、ステップＳ４において、クロック周波数を設定し、再生するデータの品質を自動で、又は、ユーザ操作により選択する。ステップＳ５において、ステップＳ４で選択した条件でコンテンツを再生し、ステップＳ６で処理を終了する。【選択図】図２
2008010030.tif 000002
【特許請求の範囲】
【請求項１】
コンテンツデータを再生する処理を行うコンテンツ再生処理部と、
外部環境を検出する外部環境検出部と、
前記外部環境検出部の検出結果に基づいて、検出された外部環境がコンテンツの視聴に適していない度合いに応じて、前記コンテンツ再生部においてより負担の少ない処理で再生させる制御を行う制御部と
を有することを特徴とするコンテンツ再生装置。
【請求項２】
同一内容の映像コンテンツを異なるビットレートで符号化した複数の映像コンテンツデータを記憶する蓄積部と、
外部視聴環境を検出する外部視聴環境検出部と、
前記蓄積部から前記映像コンテンツデータのいずれかを選択して再生する処理を行う映像コンテンツ再生処理部と、
前記外部視聴環境検出部の検出結果に基づいて、外部視聴環境に応じたビットレートのコンテンツデータを前記蓄積部から選択し前記映像コンテンツ再生部に再生させる制御を行う制御部と
を有することを特徴とする映像コンテンツ再生装置。
【請求項３】
同一内容の映像コンテンツを異なる解像度で符号化した複数の映像コンテンツデータを記憶する蓄積部と、
外部視聴環境を検出する外部視聴環境検出部と、
前記蓄積部から前記映像コンテンツデータのいずれかを選択して再生する処理を行う映像コンテンツ再生処理部と、
前記外部視聴環境検出部の検出結果に基づいて、外部視聴環境に応じた解像度のコンテンツデータを前記蓄積部から選択し前記映像コンテンツ再生部に再生させる制御を行う制御部と
を有することを特徴とする映像コンテンツ再生装置。
【請求項４】
同一内容の映像コンテンツを異なる符号化形式で符号化した複数の映像コンテンツデータを記憶する蓄積部と、
外部視聴環境を検出する外部視聴環境検出部と、
前記蓄積部から前記映像コンテンツデータのいずれかを選択して再生する処理を行う映像コンテンツ再生処理部と、
前記外部視聴環境検出部の検出結果に基づいて、外部視聴環境に応じた符号化形式のコンテンツデータを前記蓄積部から選択し前記映像コンテンツ再生部に再生させる制御を行う制御部と
を有することを特徴とする映像コンテンツ再生装置。
【請求項５】
同一内容の映像コンテンツを異なるフレームレートで符号化した複数の映像コンテンツデータを記憶する蓄積部と、
外部視聴環境を検出する外部視聴環境検出部と、
前記蓄積部から前記映像コンテンツデータのいずれかを選択して再生する処理を行う映像コンテンツ再生処理部と、
前記外部視聴環境検出部の検出結果に基づいて、外部視聴環境に応じたフレームレートのコンテンツデータを前記蓄積部から選択し前記映像コンテンツ再生部に再生させる制御を行う制御部と
を有することを特徴とする映像コンテンツ再生装置。
【請求項６】
同一内容の映像コンテンツを異なるビットレートで符号化した複数の映像コンテンツデータを記憶する蓄積部と、
振動を検出する振動検出部と、
前記蓄積部から前記映像コンテンツデータのいずれかを選択して再生する処理を行う映像コンテンツ再生処理部と、
前記振動検出部の検出結果に基づいて、振動が大きい場合にはビットレートの低いコンテンツデータを前記蓄積部から選択し前記映像コンテンツ再生部に再生させる制御を行う制御部と
を有することを特徴とする映像コンテンツ再生装置。
【請求項７】
同一内容の映像コンテンツを異なるビットレートで符号化した複数の映像コンテンツデータを記憶する蓄積部と、
動きを検出する動き検出部と、
前記蓄積部から前記映像コンテンツデータのいずれかを選択して再生する処理を行う映像コンテンツ再生処理部と、
前記動き検出部の検出結果に基づいて、動きが大きい場合にはビットレートの低いコンテンツデータを前記蓄積部から選択し前記映像コンテンツ再生部に再生させる制御を行う制御部と
を有することを特徴とする映像コンテンツ再生装置。
【請求項８】
同一内容の映像コンテンツを異なるビットレートで符号化した複数の映像コンテンツデータを記憶する蓄積部と、
外部の明るさを検出する明るさ検出部と、
前記蓄積部から前記映像コンテンツデータのいずれかを選択して再生する処理を行う映像コンテンツ再生処理部と、
前記明るさ検出部の検出結果に基づいて、暗い場合にはビットレートの低いコンテンツデータを前記蓄積部から選択し前記映像コンテンツ再生部に再生させる制御を行う制御部と
を有することを特徴とする映像コンテンツ再生装置。
【請求項９】
映像コンテンツデータを記憶する蓄積部と、
外部視聴環境を検出する外部視聴環境検出部と、
前記蓄積部から前記映像コンテンツデータを再生する処理を行う映像コンテンツ再生処理部と、
前記外部視聴環境検出部の検出結果に基づいて、外部視聴環境に適したフレームレートで前記映像コンテンツデータに基づいて前記映像コンテンツ再生部に再生させる制御を行う制御部と
を有することを特徴とする映像コンテンツ再生装置。
【請求項１０】
検出された外部視聴環境に応じて映像コンテンツ再生処理の条件を決定し、該処理条件で映像コンテンツを再生するステップを有することを特徴とする映像コンテンツの再生方法。
【請求項１１】
コンピュータに請求項１０に記載のステップを実行させるためのプログラム。
【請求項１２】
コンテンツデータを再生する処理を行うコンテンツ再生処理部と、
外部環境を検出する外部環境検出部と、
前記外部環境検出部の検出結果に基づいて、検出された外部環境がコンテンツの視聴に適していない度合いに応じて、前記コンテンツ再生部においてより負担の少ない処理で再生させる制御を行う制御部と
を有することを特徴とする携帯型コンテンツ再生装置。
【発明の詳細な説明】
【技術分野】
【０００１】
本発明は、コンテンツ再生装置に関し、特に、コンテンツ再生装置の低消費電力化に関する。
【背景技術】
【０００２】
最近、デジタル技術の進歩に伴い、例えば携帯型のコンテンツ再生装置が良く用いられている。このような携帯型コンテンツ再生装置においては、歩行時等、振動が多く、映像をきちんと見ることができるかどうかに関係なく同じように映像の再生処理を行っているのが一般的である。
【０００３】
尚、近年、光ディスク、ＨＤＤ、固体メモリなどの記録媒体の大容量化が進んでおり、また上記のように符号化効率が向上されていることなどから、１つの記録媒体に、同一のオーディオ・ビデオ等のコンテンツを複数の方式で符号化して記録することも可能になった。１つの記録媒体に複数の符号化方式のデータを記録する例は、上記特許文献１、２などに記載されている。
【０００４】
【特許文献１】特許第３１９１８５６号公報
【特許文献２】特開平８−２８７６１６号公報
【発明の開示】
【発明が解決しようとする課題】
【０００５】
上記のような一般的な携帯型コンテンツ再生装置において、映像等をきちんと見られないような状況においても、必要以上のクオリティで映像コンテンツの再生を行うため、処理に要する消費電力が大きくなるという問題があった。
本発明は、映像コンテンツ再生に関する消費電力を抑制することを目的とする。
【課題を解決するための手段】
【０００６】
本発明は、コンテンツ再生装置において、外部環境に応じて再生処理能力を制御し、適切な能力で処理を行うことで不必要に電力を消費しないようにすることを特徴とする。より具体的には、歩行時等には高品質な映像を再生してもきちんと映像を見ることができず、高品質であってもあまり効果がないため、映像処理能力を落として映像処理部における必要な電力を抑える。
【０００７】
また、コンテンツ再生装置に振動センサや明るさセンサを設けておく。複数のビットレートのコンテンツを再生装置に準備しておき、センサによるセンシング値に応じたビットレートのコンテンツを再生することで、そのビットレートに応じて処理部の性能を調整し、処理部に必要な電力を抑制する。
【０００８】
すなわち、本発明の一観点によれば、コンテンツデータを再生する処理を行うコンテンツ再生処理部と、外部環境を検出する外部環境検出部と、前記外部環境検出部の検出結果に基づいて、検出された外部環境がコンテンツの視聴に適していない度合いに応じて、前記コンテンツ再生部においてより負担の少ない処理で再生させる制御を行う制御部と、を有することを特徴とするコンテンツ再生装置が提供される。
【０００９】
また、同一内容の映像コンテンツを異なるビットレートで符号化した複数の映像コンテンツデータを記憶する蓄積部と、外部視聴環境を検出する外部視聴環境検出部と、前記蓄積部から前記映像コンテンツデータのいずれかを選択して再生する処理を行う映像コンテンツ再生処理部と、前記外部視聴環境検出部の検出結果に基づいて、外部視聴環境に応じたビットレートのコンテンツデータを前記蓄積部から選択し前記映像コンテンツ再生部に再生させる制御を行う制御部と、を有することを特徴とする映像コンテンツ再生装置が提供される。
【００１０】
さらに、同一内容の映像コンテンツを異なるビットレートで符号化した複数の映像コンテンツデータを記憶する蓄積部と、振動を検出する振動検出部と、前記蓄積部から前記映像コンテンツデータのいずれかを選択して再生する処理を行う映像コンテンツ再生処理部と、前記振動検出部の検出結果に基づいて、振動が大きい場合にはビットレートの低いコンテンツデータを前記蓄積部から選択し前記映像コンテンツ再生部に再生させる制御を行う制御部と、を有することを特徴とする映像コンテンツ再生装置が提供される。
【００１１】
上記ビットレートに代えて、解像度、符号化形式、フレームレートの異なる映像コンテンツを対象としても良い。
【００１２】
本発明の他の観点によれば、検出された外部視聴環境に応じて映像コンテンツ再生処理の条件を決定し、該処理条件で映像コンテンツを再生するステップを有することを特徴とする映像コンテンツの再生方法が提供される。コンピュータに上記ステップを実行させるためのプログラムも本発明の範疇に含まれる。
【発明の効果】
【００１３】
コンテンツ再生時の外部環境に応じて、処理部における必要な電力を調整することで、高い処理能力を必要としない外部環境においては、コンテンツ再生に関する電子機器の消費電力を抑制することができる。
【発明を実施するための最良の形態】
【００１４】
本明細書において、外部視聴環境とは、視聴に関して影響を与える外部環境を指す。例えば、振動、明るさ、などが、視聴に影響を与える。
【００１５】
以下に、本発明の一実施の形態によるコンテンツ再生装置について、携帯型コンテンツ再生装置を例に図面を参照しながら説明を行う。図１は、本実施の形態による携帯型コンテンツ再生装置の一構成例を示す図である。図１に示すように、本実施の形態によるコンテンツ再生システムＡは、携帯型コンテンツ再生装置１を含んでいる。携帯型コンテンツ再生装置１は、制御部９と、ＣＰＵ７と、蓄積部３と、表示部１１と、イヤホン・スピーカなどの出力部１５と、振動センサ１７と、を有している。蓄積部３には、異なるビットレートの同じ映像データ５が記憶されている。図１では、符号化されたコンテンツの符号化に関するビットレートが４Ｍｂｐｓ、３Ｍｂｐｓ、…、５１２ｋｐｂｓの異なる映像データ５ａから５ｃまでが格納されている。蓄積部３は、外部に設けられ、通信により取得可能になっていても良い。
【００１６】
制御部９は、振動センサ１７により検知された振動に応じて、異なる映像データ５の中から適した品質（圧縮率、データ量など）の映像データを選択し、これを表示部１１、イヤホン・スピーカ１５により出力する。選択の基準としては、振動センサ１７により検知された振動が大きい場合には、コンテンツの品質を下げてもユーザによる感じ方としては品質低下につながりにくいとして、品質の低い映像データを選択する。
【００１７】
図２は、本実施の形態による携帯型コンテンツ再生装置による制御処理の流れを示すフローチャート図である。図２に示すように、ステップＳ１において処理を開始し（ｓｔａｒｔ）、ステップＳ２において、センサにより検知した変位又は速度又は加速度が、あるしきい値よりも大きいかどうかを判定する。尚、ユーザがこのしきい値を設定したり、変更したりするように構成しても良い。大きいと判定された場合には（Ｙ）、ステップＳ３に進み、測定値に応じて、ＣＰＵのクロック値、コンテンツのビットレートを決定する。この際、図３、図４に示すようなテーブルを参照する。
【００１８】
次いで、ステップＳ４において、クロック周波数を設定し、再生するデータの品質を自動で、又は、ユーザ操作により選択する。ステップＳ５において、ステップＳ４で選択した条件でコンテンツを再生し、ステップＳ６で処理を終了する。
【００１９】
尚、上記の例では、一旦選択された映像データを一貫して再生する例について説明したが、映像コンテンツの再生途中で環境が大きく変化した場合には、その時点で、変化後の環境に適したビットレートを有するコンテンツに切り替えて再生するようにしても良い。この場合には、例えば、ビットレートとコンテンツの再生開始時点からの時間に基づいて、コンテンツの再生ポイントを計算し、変更したビットレートのコンテンツについて、どの時点からコンテンツを切り替えたら良いかを演算するようにしても良い。
【００２０】
図３では、変位（ｍ）と、ビットレート（Ｍｂｐｓ）と、クロック周波数（ＭＨｚ）と、を対応させている。変位が大きい場合には視聴するコンテンツのビットレートを下げ、クロック周波数も下げる。変位が小さい場合には視聴するコンテンツのビットレートを上げ、クロック周波数もあげる制御を行う。図３に示すテーブルを保持しておくことにより、迅速にコンテンツを変更することができる。図４は、クロック周波数と消費電力の関係を示す図である。図４に示すように、クロック周波数を下げると消費電力も小さくなる。このように、歩行中など、それほどまともにはコンテンツを視聴できない環境と推測される場合には、映像を高品質に再生する必要はないため、映像品質を落とし、映像処理量を抑えられる。また、処理装置の処理能力(クロックなど)を小さくすることが出来、処理装置の消費電力を抑制できる。
【００２１】
尚、映像データのビットレートを下げる他には、フレームレートを下げる処理、表示色のビット数を下げる処理、音量を下げる処理、解像度を下げる処理、などを独立して、又は連動させて行うことができる。また、蓄積部３は、コンテンツを配信するサービス会社で保持されていても良い。
【００２２】
センサとしては、振動センサ（ジャイロセンサ）、光センサ、温度センサなどを、独立して、或いは複数を利用するようにしても良い。
【００２３】
例えば、光センサにより、周囲が暗い場合には、コンテンツの表示をあまり明るくしても仕方がないと推定し、コンテンツの表示を暗くする（バックライトの光量を減少させる）制御を行う。光センサにより検知された明暗と、振動センサにより検知された振動の大小とに基づいて、暗く、かつ、振動が大きいほどコンテンツの品質を下げるように制御することも可能である。
【００２４】
データに関しては、音楽データのみの場合でも本発明を適用する利点がある。例えば、ビットレートを、３２０ｋｂｐｓ、１６０ｋｂｐｓ、…６４ｋｂｐｓなど、適宜、変更する処理を行う。
【００２５】
尚、上記の例では、ビットレートを変更する例について説明したが、同じビットレートの映像データを用いて、抽出するフレームを減らす、すなわち、フレームレートを例えば、１５ｆｐｓ/３０ｆｐｓなどと変更する処理を行うことにより、ＣＰＵの負担や消費電力の調整を行うようにしても良い。その他、処理負荷を軽減したり、消費電力を下げる変更であれば、上記の例に限定されるものではなく、液晶表示部のバックライトの輝度調整によるものでも良い。光センサにより明るいほど、バックライトの輝度を低めても良い。また、センサの例として、光センサについて説明したが、その他、騒音センサ、明るさセンサなどを用いても良い。要するに、コンテンツを視聴できる程度に応じて、処理付加や消費電力を調整するものであれば、いずれの方法でも良い。
【産業上の利用可能性】
【００２６】
本発明は、映像コンテンツ再生装置に利用可能である。
【図面の簡単な説明】
【００２７】
【図１】本発明の一実施の形態による携帯型コンテンツ再生装置の一構成例を示す図である。
【図２】本実施の形態による携帯型コンテンツ再生装置による制御処理の流れを示すフローチャート図である。
【図３】変位（ｍ）と、ビットレート（Ｍｂｐｓ）と、クロック周波数（ＭＨｚ）と、を対応させて関連付けした図である。
【図４】クロック周波数と消費電力の関係を示す図である。
【符号の説明】
【００２８】
Ａ…コンテンツ再生システム、１…携帯型コンテンツ再生装置、３…蓄積部、５…映像データ、７…ＣＰＵ、９…制御部、１１…表示部、１５…出力部、１７…振動センサ。
【図１】
2008010030.tif 000003
【図２】
2008010030.tif 000004
【図３】
2008010030.tif 000005
【図４】
2008010030.tif 000006